(57)【要約】【課題】  簡単な構成で、初動待ち時間が短く、消費エネルギーが小さい定着装置およびこれを用いた画像形成装置を提供する。【解決手段】  未定着のトナーＴによる画像が形成された記録紙Ｐを、ヒータ７を有する加熱装置２と、ヒータを有しない加圧装置３との間に通紙し、加圧装置３の回転により記録紙Ｐを移動させながら加熱して未定着のトナーＴを記録紙Ｐに定着させる定着装置１において、定着装置１が起動してからの加圧装置３の回転の累積値ｔｈによって、加圧装置３の回転手順を変更する定着装置１の制御方法であって、記憶装置に累積値ｔｈの値を記憶し、定着装置１を再起動したときは、累積値ｔｈの初期値ｔｈ０を、記憶装置に記憶している累積値ｔｉと加熱装置２の温度ｔｉとから算出した値にする。【選択図】図１
2006023425.tif 000002
【特許請求の範囲】
【請求項１】
未定着のトナーによる画像が形成された記録紙を、ヒータを有する加熱装置と、ヒータを有しない加圧装置との間に通紙し、前記記録紙を移動させながら加熱して前記未定着のトナーを前記記録紙に定着させる定着装置において、
前記定着装置の暖機が完了してからの前記加圧装置の回転の累積値によって、前記加圧装置の回転手順を変更する定着装置の制御方法であって、
記憶装置で前記累積値を記憶し、
前記定着装置を再起動したときは、前記累積値の初期値を、前記記憶装置に記憶している累積値と前記加熱装置の温度とから算出した値にすることを特徴とする定着装置の制御方法。
【請求項２】
前記定着装置を再起動したときの前記加熱装置の温度が下限温度より低いときは、前記累積値の初期値をゼロにすることを特徴とする請求項１に記載の定着装置の制御方法。
【請求項３】
前記定着装置を再起動したときの前記加熱装置の温度が上限温度より高いときは、前記累積値の初期値を前記記憶装置に記憶している累積値と同じ値にすることを特徴とする請求項１または２に記載の定着装置の制御方法。
【請求項４】
前記記憶装置に、あらかじめ定めた複数の温度帯域のうちいずれの帯域に前記累積値があるかを示す値を記憶することを特徴とする請求項１から３のいずれかに記載の定着装置の制御方法。
【請求項５】
請求項１から４のいずれかに記載の制御方法によって制御する定着装置を有することを特徴とする画像形成装置。
【発明の詳細な説明】
【技術分野】
【０００１】
本発明は、定着装置の制御方法および画像形成装置に関する。
【背景技術】
【０００２】
未定着のトナーによって画像が形成された記録紙を、ヒータを有する加熱装置と加圧ローラとで狭持して、加熱装置および加圧ローラの回転により記録紙を移動させながら加熱して記録紙にトナーを定着させる定着装置が、コピー機やプリンタなどの画像形成装置に利用されている。
【０００３】
記録紙を狭持する加熱装置および加圧ローラは、それらの熱によりトナーおよび記録紙を加熱してトナーを記録紙に定着させるため、所定の温度以上である必要がある。このため、加熱装置および加圧ローラは、それぞれヒータにより加熱されていてもよいが、低コスト化のために、加圧ローラにはヒータを設けず、加熱装置から伝達される熱によって所定の温度を維持するようになっている場合が多い。
【０００４】
図４に従来の定着装置１１の構成を示す。従来の定着装置１１は、加熱装置１２と、加熱装置１２に圧接する加圧ローラ１３とからなっている。加熱装置１２は、エンドレスシート状の定着ベルト１４が加熱ローラ１５と定着ローラ１６とに掛け渡され、加熱ローラ１５には、内部にヒータ１７が設けられるとともに、外表面に接するようにサーミスタ１８が設けられている。また、加圧ローラ１３にも、外表面に接するようにサーミスタ１９が設けられている。
【０００５】
以上の構成からなる定着装置１１では、サーミスタ１８が加熱ローラ１５の温度を検出して、加熱ローラ１５が所定の温度を維持するようにヒータ１７をＯＮ／ＯＦＦ制御する。定着ベルト１４は、加熱ローラ１５と接触している部分が加熱ローラ１５によって加熱される。加圧ローラ１３は、矢印で示す方向に回転することで、定着ベルト１４を矢印で示す方向に周回させ、加熱ローラ１５および定着ローラ１６も回転させる。加圧ローラ１３および定着ローラ１６は、加熱ローラ１５によって加熱された定着ベルト１４から熱を受け取って間接的に加熱されるが、サーミスタ１９が所定の温度を検出すると加圧ローラ１３の回転が停止して熱の供給が断たれる。このようにして、定着装置１１では、定着ベルト１４と加圧ローラ１３の温度を所定の温度に保つことができる。
【０００６】
定着装置１１において、片面にトナーＴによって画像が形成された記録紙Ｐは、矢印方向に送り込まれて定着ベルト１４と加圧ローラ１３の間に狭持され、それらの回転によって送り出される。このとき、トナーＴは、定着ベルト１４によって加熱されて記録紙Ｐに定着される。
【０００７】
さらに、コストを削減するために、定着装置１１から、加圧ローラ１３の温度を検出するサーミスタ１９を省略したものが考えられている。加圧ローラ１３の温度が分からなくても、加圧ローラ１３の温度が、いかなる条件においても必要とされる温度以上となるように加熱ローラ１５の温度を高く設定したり、加熱装置１２と加圧ローラ１３との間に記録紙Ｐを通紙する直前に、加圧ローラ１３を加熱するために十分な定着前回転をすれば、記録紙ＰにトナーＴを問題なく定着することは可能である。しかし、その場合、待機状態から最初の定着（ファーストプリント）までの初動待ち時間が長くなったり、消費エネルギーが大きくなったり、定着装置１１の寿命が短くなるという問題がある。
【０００８】
このような問題を解決する制御方法が、下記特許文献１および２に記載されている。特許文献１の制御方法では、加圧ローラ１３の回転の累積時間が所定の値より小さいときは加熱ローラ１５の設定温度を高くすることで初動待ち時間を短縮している。さらに、特許文献２の制御方法では、加圧ローラ１３の回転の累積時間により、加圧ローラ１３への蓄熱量を推定し、それに合わせて加熱ローラ１５の設定温度を多段に変更することで供給熱量を調節している。
【特許文献１】特許第３１２３２９１号
【特許文献２】特許第３４２２３３９号
【０００９】
しかしながら、定着装置を一度電源を遮断してから、十分に冷却される前に再起動すると、加圧ローラ１３の温度が加圧ローラ１３の回転および停止の累積時間から推測した温度よりも高くなり無駄なエネルギーを消費してしまうという問題があった。
【発明の開示】
【発明が解決しようとする課題】
【００１０】
そこで、前記問題に鑑みて、本発明は、簡単な構成で、初動待ち時間が短く、消費エネルギーが小さい定着装置およびこれを用いた画像形成装置を提供することを課題とする。
【課題を解決するための手段】
【００１１】
前記課題を解決するために、本発明者は鋭意実験を繰り返した結果、ある一定時間の回転の後に停止状態となった加圧ローラの温度は、ある最低温度になった後に加熱装置からの放熱により徐々に上昇すること、および、前述の最低温度は前述の回転時間に関係があることを見出した。
【００１２】
即ち、本願発明は、未定着のトナーによる画像が形成された記録紙を、ヒータを有する加熱装置と、ヒータを有しない加圧装置との間に通紙し、前記記録紙を移動させながら加熱して前記未定着のトナーを前記記録紙に定着させる定着装置において、前記定着装置の暖機が完了してからの前記加圧装置の回転の累積値によって、前記加圧装置の回転手順を変更する定着装置の制御方法であって、記憶装置で前記累積値を記憶し、前記定着装置を再起動したときは、前記累積値の初期値を、前記記憶装置に記憶している累積値と前記加熱装置の温度とから算出した値にするものとする。
【００１３】
この方法によれば、定着装置が起動してからの回転の時間が長いほど、加圧ローラは、加熱装置から多くの熱が伝達されて暖められているため、その回転の累積値から加圧ローラの温度を推測することができる。このため、定着装置は、加圧ローラの温度を検出するためのサーミスタ等を設けない簡単な構成でも、前記累積値によって回転手順を変更することにより、加圧ローラを最小限の回転によって、記録紙に未定着のトナーを定着させられる所定の温度に加熱できる。さらに、定着装置の電源遮断時に加圧ローラが完全に冷却されていないときは、定着装置を起動したときの温度と記憶装置に記憶している累積値とから算出した値を前記累積値の初期値とすることで、加圧ローラを加熱するための回転手順を、加圧ローラの温度状態に合わせて適切に変更することができる。これにより、定着装置は、加圧ローラを加熱するための回転時間が短くなるので待機状態から最初の記録紙にトナーを定着するまでの初動待ち時間が短く、かつ、必要以上に加圧ローラを加熱しないので消費エネルギーが小さい。
【００１４】
また、本発明の定着装置の制御方法において、前記定着装置を再起動したときの前記加熱装置の温度が下限温度より低いときは、前記初期値をゼロに設定してもよく、前記定着装置を再起動したときの前記加熱装置の温度が境界温度より高いときは、前記累積値の初期値を前記記憶装置に記憶している累積値と同じ値に設定してもよい。
【００１５】
この方法によれば、加熱装置の温度が下限温度より低いときは、加圧ローラは完全に冷却されていると判断できるので、累積値の初期値をゼロに設定することで加圧ローラを必要最小限度に加熱できる加圧ローラの回転手順を選択できる。また、加熱装置の温度が上限温度よりも高いときは、加熱装置および加圧装置はほとんど冷却されておらず、累積値を記憶装置に記憶している累積値と同じ値を初期値として積算することで、前回の運転時に加圧ローラに加えられた熱を考慮して必要最小限度の加熱で済ませる加圧ローラの回転手順を選択できる。これにより、定着装置は、加圧ローラを加熱するための回転時間が短くなるので待機状態から最初の記録紙にトナーを定着するまでの初動待ち時間が短く、かつ、必要以上に加圧ローラを加熱しないので消費エネルギーが小さい。
【００１６】
また、本発明の定着装置の制御方法において、前記記憶装置に、あらかじめ定めた複数の温度帯域のうちいずれの帯域に前記累積値があるかを示す値を記憶してもよい。
【００１７】
この方法によれば、記憶装置が記憶している値を頻繁に書き換える必要がないので、記憶装置の寿命が長くなる。これにより、待機状態から最初の記録紙にトナーを定着するまでの初動待ち時間が短くて消費エネルギーが小さい定着装置が長寿命になる。
【００１８】
また、本発明による画像形成装置は、前記制御方法よって制御する定着装置を有するものとする。
【００１９】
この構成によれば、定着装置の構成が簡単で、初動待ち時間が短く、消費エネルギーが小さい画像形成装置となる。
【発明の効果】
【００２０】
以上のように、本発明によれば、加圧ローラにヒータやサーミスタを有しない簡単な構成で、初動待ち時間が短く、消費エネルギーが小さい定着装置およびこれを用いた画像形成装置を提供できる。
【発明を実施するための最良の形態】
【００２１】
以下に、本発明の実施の形態について添付図面を参照して説明する。
【００２２】
図１に本発明の実施形態の定着装置１の構成を示す。定着装置１は、加熱装置２と、加熱装置２に圧接する加圧ローラ３とからなっている。加熱装置２は、エンドレスシート状の定着ベルト４が回転可能な加熱ローラ５と回転不能に固定されたニップ形成部材６とに掛け渡され、加熱ローラ５には、内部にヒータ７と外表面に接するようにサーミスタ８とが設けられている。また、ニップ形成部材６は、補強部材９に支持されて、加圧ローラ３とともに定着ベルト４を挟み込んでいる。
【００２３】
続いて、以上の構成からなる定着装置１の動作を説明する。
【００２４】
定着装置１では、サーミスタ８が加熱ローラ５の温度を検出して、加熱ローラ５が例えば２００℃を維持するようにヒータ７をＯＮ／ＯＦＦ制御する。定着ベルト４は、加熱ローラ５と接触している部分が加熱ローラ５によって加熱される。定着装置１では、加圧ローラ３を矢印で示す方向に回転することで、定着ベルト４を矢印で示す方向に周回させ、加熱ローラ５も回転させる。加圧ローラ３およびニップ形成部材６は、加熱ローラ５によって加熱された定着ベルト４から熱を受け取ることで間接的に加熱される。
【００２５】
加圧ローラ３が所定の温度以上であれば、片面に未定着のトナーＴによって画像が形成された記録紙Ｐを矢印方向に送り込んで定着ベルト４と加圧ローラ３の間に通紙して、加圧ローラ３の回転によって記録紙Ｐを送り出しながら定着ベルト４によってトナーＴを加熱して記録紙Ｐに定着することができる。このとき加圧ローラ３は、その温度が低いと記録紙ＰおよびトナーＴから熱を奪ってしまい、トナーＴの記録紙Ｐへの定着を阻害してしまう。そこで、加圧ローラ３の温度をその回転によって制御する方法として、定着装置１が記録紙Ｐの通紙を指示する定着信号を受信するまでの待機中に、間隔を置いて加圧ローラ３を短時間回転させて放散した熱を補う間欠回転と、記録紙を通紙する直前に加圧ローラ３を回転してトナーＴを定着できる温度まで上昇させる定着前回転と、記録紙を通紙した後に余分に加圧ローラ３を回転して待機中に放散するであろう熱をあらかじめ与えておく定着後回転とがある。
【００２６】
本実施形態の定着装置１では、定着前回転は常に例えば１１秒で一定であるが、この時間は、定着装置１を起動してから加熱ローラ５が２００℃に達した後すぐにトナーＴを記録紙Ｐに定着できる温度に加圧ローラ３を加熱するために必要な時間である。一方、加圧ローラ３の間欠回転と定着後回転とは、回転時間や回転の有無を含む回転手順が状況に応じて変更される。この回転手順の変更は、加圧ローラ３の回転の累積値として、初期値ｔｈ０に、定着装置１の暖機が完了してからの定着のための回転を除いた回転時間を加算した累積時間ｔｈを使用し、このｔｈの値を基に行う。
【００２７】
累積時間ｔｈを積算するにあたり、定着ベルト４と加圧ローラ３との間に１枚目の記録紙Ｐを通紙し始めてから連続する最後の記録紙Ｐを通紙し終えるまでの時間は、累積時間ｔｈに加算しない。これは、定着装置１において、記録紙Ｐを通紙している間の加圧ローラ３は、定着ベルト４から伝えられる熱量と記録紙Ｐに奪われる熱量とがほぼ等しいからである。異なる条件においては、記録紙Ｐと次の記録紙Ｐとの間の紙間の回転時間を累積時間ｔｈに加算する方がよい場合もある。
【００２８】
初期値ｔｈ０は、定着装置１を起動したときに、図示しない記憶装置に記憶している累積時間ｔｉと、サーミスタ８によって検出した加熱ローラ５の温度Ｔｉとによって決定する。
【００２９】
定着装置１では、下記の表１に示すように、累積時間ｔｈに９つの帯域を設定し、累積時間ｔｈがいずれの累積時間帯域に含まれるかを示すステイタスを、電源を遮断しても記憶内容を保持できるフラッシュメモリなどの不揮発性メモリからなる記憶装置に記憶させる。このステイタスの記憶は、メモリにそれぞれの累積時間帯域に対応する９つのビットのいずれか１つのビットを１または０にすることで記憶させてもよく、５ビット以上のメモリによって２進数として表してもよい。この記憶は、累積時間ｔｈが各時間帯域の下限値に達したときに記憶装置のステイタスを書き換えて更新する。そして、累積時間ｔｈの初期値ｔｈ０を定めるに当たっては、各時間帯域の下限値を累積時間ｔｉの代表値として使用する。
【００３０】
【表１】
2006023425.tif 000003
【００３１】
定着装置１が起動したときの加熱ローラ５の温度Ｔｉが、下境界値Ｔｒ１よりも低い場合は、下記の数式１に示すように、初期値ｔｈ０を０とする。温度Ｔｉが下境界値Ｔｒ１以上で上境界値Ｔｒ２以下の場合は、記憶している累積時間ｔｈの代表値ｔｉを下記の数式２に示すように、次数ｎｒの補正式で温度Ｔｉを補正した値を初期値ｔｈ０とする。さらに、温度Ｔｉが上境界値Ｔｒ２よりも高い場合は、下記の数式３に示すように、代表値ｔｉをそのまま初期値ｔｈ０とする。
【００３２】
【数１】
2006023425.tif 000004
【数２】
2006023425.tif 000005
【数３】
2006023425.tif 000006
【００３３】
本実施形態において、下境界値Ｔｒ１、上境界値Ｔｒ２および補正次数ｎｒは、下記の表２のように設定する。
【００３４】
【表２】
2006023425.tif 000007
【００３５】
定着装置１は、起動後すぐに定着を行わないときは、加熱ローラ５が２００℃に達した直後に例えば２５秒間の暖機後回転をしてから待機状態に入る。この待機時には、加圧ローラ３の温度が下がり過ぎないように、例えば６０秒ごとに５秒間の間欠回転を行って放散した熱を補う。これにより、加圧ローラ３は加熱と放熱とをくり返して中心部の温度が上昇するので、そのうち間欠回転を行わなくてもその温度を維持することができるようになる。定着装置１において、間欠回転を必要とするか否かは、下記の表３に示すように、累積時間ｔｈと環境温度Ｔａとによって決定する。環境温度Ｔａは、定着装置を用いた画像形成装置などの機器であれば、通常、環境温度センサおよび環境湿度センサを備えているので特に構成要素を追加せずとも得られる情報である。また、環境湿度も加圧ローラ３の熱放散に影響を与えるので、環境温度Ｔａと環境湿度とによって場合分けしてもよい。
【００３６】
【表３】
2006023425.tif 000008
【００３７】
また、定着ベルト４と加圧ローラ３との間に記録紙Ｐを通紙してトナーＴを定着した直後に行う定着後回転も、間欠回転と同様に、回転の累積時間ｔｈが大きくなると短い時間で済むようになる。定着装置１では、下記の表４に示すように、累積時間ｔｈと環境温度Ｔａとによって定着後回転の時間を決定する。
【００３８】
【表４】
2006023425.tif 000009
【００３９】
ここで、例として、定着装置１で、環境温度Ｔａが２０℃のときに起動直後に定着を行ったときの回転手順を説明する。
【００４０】
定着装置１を完全に冷却された状態から起動すると、加熱ローラ５の温度は、環境温度と同じ２０℃になっており、数式１に従い、累積時間ｔｈの初期値ｔｈ０は０に設定され、記憶装置にステイタスｔ１が記憶される。そして、ヒータ７が通電して発熱しながら加圧ローラ３が回転して暖機を開始する。加熱ローラ５の温度が２００℃に達する前に記録紙Ｐを通紙してトナーＴを定着すべきことを指示する定着指令信号を受け取った場合、サーミスタ８が加熱ローラ５が２００℃に達したことを検出するとすぐに定着のための回転手順を開始する。
【００４１】
定着のための回転手順は、先ず、１１秒の定着前回転を行って、加圧ローラ３の温度を十分に上昇させるが、このとき、累積時間ｔｈは１１秒となる。続いて、記録紙Ｐを通紙してトナーＴを定着する通紙回転を行い、複数の記録紙Ｐを定着する場合は例えば６０ｍｍの紙間隔を開けるための紙間回転を挟んで次の通紙回転をくり返す。この定着のための通紙回転および紙間回転は、累積時間ｔｈに加算しない。最後の記録紙Ｐの通紙が終了したら、続いて、表４に従って所定の秒数の定着後回転を行う。ここでは累積時間ｔｈが１１秒で、環境温度Ｔａが２０℃なので、定着装置１は、１２秒の定着後回転を行ってから加圧ローラ３を停止して待機状態となる。定着後回転中に、ｔｈが２０秒に達するので記憶装置にステイタスｔ２が記憶され、定着後回転が終了すると、ｔｈは１２秒を加算して２３秒となる。
【００４２】
待機時には、表３に従い６０秒ごとに５秒間の間欠回転を行うか否かを決定する。ここでは、累積時間ｔｈが２３秒で環境温度Ｔａが２０℃であるので間欠回転を行うことになる。間欠回転を行ったときは、その回転時間を累積時間ｔｈに加算する。定着装置１が待機状態になってから４回目の間欠回転を行ったときに、累積時間ｔｈは４３秒に達し、以降、表３に定めるように間欠回転を行わないことになる。
【００４３】
４回目の間欠回転を行った後に次の定着を行うときは、１１秒の定着前回転を行うが、累積時間ｔｈが４５秒に達したときに記憶装置にステイタスｔ３を記録する。定着前回転を行った後に記録紙Ｐを通紙し、累積時間ｔｈは５３秒となる。続けて、表４に定められた１２秒の定着後回転を行い、累積時間ｔｈに定着後回転の１２秒を加える。その後、定着装置１は、再び待機状態となるが、累積時間ｔｈは６５秒となっており、表３に定めるようにもはや間欠回転は行わない。
【００４４】
以後、定着装置１が定着を行うときは、その都度、累積時間ｔｈに定着前回転の１１秒と表４で定めた定着後回転の時間を加算し、累積時間ｔｈは増加し続ける。累積時間ｔｈが２４０秒に達すると、記憶装置のステイタスがｔ４に書き換えられ、累積時間ｔｈがさらに異なる時間帯域に達すると、記憶装置に対応するステイタスが記録される。
【００４５】
ここで、定着装置１の電源が落とされた後、再起動したときは、再起同時の加熱ローラ５の温度Ｔｉによって数式１，２，３のいずれかを適用して、電源を落とす前に記憶した累積時間ｔｈのステイタスの代表値ｔｉを補正して累積時間ｔｈの初期値ｔｈ０を決定する。
【００４６】
例えば、累積時間ｔｈが７００秒のときに定着装置１の電源を遮断したとすると、このとき記憶装置が記憶しているステイタスはｔ５である。そして、定着装置１を再起動したとき、加熱ローラ５の温度が１００℃であった場合、代表値ｔｉ＝５４０秒であるので数式２により、初期値ｔｈ０は６０秒と算出される。このため、再起動時の累積時間ｔｈは６０秒になり、記憶装置の記憶内容はステイタスｔ３に更新される。
【００４７】
再起動された定着装置１は、加熱ローラ５の温度が２００℃に達するまで暖機を行った後２５秒の暖機後回転を行ってから待機状態になるが、既に累積時間ｔｈが６０秒であるので間欠回転は行わない。その後も、定着装置１は、表４に従って、累積時間ｔｈによって定着後回転の時間を決定する。
【００４８】
以上のように、表１から４および数式１から３に従って回転手順を変更する制御方法の利点を、不変の回転手順で動作させる場合と比較して説明する。
【００４９】
仮に、定着装置１を不変の回転手順で動作させる場合は、環境温度Ｔａが低く、定着装置１を起動した直後の、加圧ローラ３が冷え切った状態でも定着を行える温度に加熱できるように、待機時には常に間欠回転を行い、通紙後には常に例えば１７秒の定着後回転を行う必要がある。これらの回転は、多くの動力エネルギーの消費と、加圧ローラ３が高温になって多くの熱を放散するのでヒータ７がより多くの発熱を要することによる余分なエネルギー消費がある。
【００５０】
しかし、本実施形態では、累積時間ｔｈによって間欠回転を取りやめたり、定着後回転を例えば７秒にまで短縮しているので、エネルギー消費が少なくて済む。また、必要なときだけ定着後回転を長くするので定着前回転が常に１１秒と短時間で済み、初動待ち時間が短い。さらに、定着装置を起動したときに、起動時の加熱ローラ５の温度と前回運転したときに記憶した累積時間ｔｈのステイタスｔｉから加圧ローラ３の冷却状態に応じた初期値ｔｈ０を算出して累積時間ｔｈを変更するので、加圧ローラ３が保持している前回の運転時に蓄積した熱の残存量を加味して、加圧ローラ３の最適な回転手順を選択できる。このため、定着装置１は、どのような条件で起動しても、初動待ち時間が短く、必要以上のエネルギーを消費しない。
【００５１】
また、フラッシュメモリのように書き換え可能回数が多くない（約１００万回）記憶装置を使用しても、累積時間ｔｈのステイタスを記憶するようにしたので記憶装置の頻繁な書き換えが必要なく、定着装置の寿命が長い。
【００５２】
本実施形態において、定着装置１の加圧ローラ３の回転速度が一定であることを前提にした制御方法を説明したが、記録紙Ｐの厚さや材質に応じて、加圧ローラ３の回転速度を切り替える場合も考えられる。仮に、回転速度を２倍にすると、加圧ローラ３が定着ベルト４を介して加熱ローラ５から受け取る熱量もほぼ２倍になる。これに対応して、回転速度によって表３および表４の累積時間ｔｈの各境界値を変更してもよいが、累積時間ｔｈに代えて、回転時間に加圧ローラ３の回転速度を乗じた値の累積値（累積回転数または記録紙送り出し量に換算した累積距離としても表される）について表１、表３および表４を定めておけば、異なる回転速度に対応でき、途中で回転速度を切り替えたときにも最適な制御を行うことができる。
【００５３】
また、定着装置１は、ニップ形成部材６と加圧部材３とで定着ベルト４を挟み込んでいるが、図２に示す定着装置１’のように、回転可能な定着ローラ１０と加圧ローラ３とで、加熱ローラ５と定着ローラ１０とに掛け渡した定着ベルト４を挟み込んだ装置であってもよい。また、図３に示す定着装置１”のように、直接に圧接し合う加熱ローラ５と加圧ローラ３との間に記録紙Ｐを通紙してトナーＴを定着する装置であってもよい。なお、図２および３では、図１の定着装置１と同じ構成要素に同じ符号を付しているので、その説明は省略する。
【００５４】
以上、説明したような制御方法によって制御する定着装置を構成要素とすることで、コピー機やプリンタなどの画像形成装置は、簡単な構成で、初動待ち時間が短く、消費エネルギーが小さいものにできる。
【図面の簡単な説明】
【００５５】
【図１】本発明の定着装置の概略図。
【図２】本発明の異なる構成の定着装置の概略図。
【図３】本発明のさらに異なる構成の定着装置の概略図。
【図４】従来の定着装置の概略図。
【符号の説明】
【００５６】
１  定着装置
２  加熱装置
３  加圧ローラ
７  ヒータ
８  サーミスタ
Ｐ  記録紙
Ｔ  トナー
【図１】
2006023425.tif 000010
【図２】
2006023425.tif 000011
【図３】
2006023425.tif 000012
【図４】
2006023425.tif 000013